(57)【要約】【課題】被投射物に投射して表示した表示画像を見やすいように表示画像の色を調整することができる投射型表示装置及び投射表示方法を提供する。【解決手段】投射型表示装置１は、被投射物Ｔに対して表示画像を投射して表示する投射部２と、投射部２により被投射物Ｔに投射する表示画像の色を調整する色調整部３２１と、色調整部３２１により調整された色の表示画像を被投射物Ｔに投射するように投射部２を遠隔操作する遠隔操作部３と、を備える。【選択図】図１
2017191223.tif 000002
【特許請求の範囲】
【請求項１】
被投射物に対して表示画像を投射して表示する投射部と、
前記投射部により被投射物に投射する表示画像の色を調整する色調整部と、
前記色調整部により調整された色の表示画像を被投射物に投射するように前記投射部を遠隔操作する遠隔操作部と、
を備える投射型表示装置。
【請求項２】
請求項１に記載された投射型表示装置において、
被投射物の所定部分に焦点を合わせるように焦点を調整する焦点調整部を備えること、
を特徴とする投射型表示装置。
【請求項３】
請求項１又は請求項２に記載された投射型表示装置において、
被投射物の色に関する情報である色値情報を測定する測色部を備え、
前記色調整部は、前記測色部により測定された被投射物の色値情報に基づいて、被投射物に投射する表示画像の色を調整すること、
を特徴とする投射型表示装置。
【請求項４】
請求項１から請求項３のいずれか１項に記載された投射型表示装置において、
前記色調整部は、前記投射部又は前記遠隔操作部に備えられること、
を特徴とする投射型表示装置。
【請求項５】
請求項１から請求項４のいずれか１項に記載された投射型表示装置において、
前記遠隔操作部と前記投射部とは、有線又は無線で通信を行うこと、
を特徴とする投射型表示装置。
【請求項６】
非破壊検査装置により被投射物の内部を検査する検査工程と、
前記検査工程の検査結果に基づいて、投射部により表示画像を被投射物に投射して表示する投射工程と、
前記投射工程により被投射物に投射される表示画像の色を調整する色調整工程と、
前記色調整工程により調製された色の表示画像を被投射物に投射するように前記投射部を遠隔操作する遠隔操作工程と、
を備える投射表示方法。
【発明の詳細な説明】
【技術分野】
【０００１】
本発明は、被投射物に対して表示画像を投射して表示する投射型表示装置及び投射表示方法に関する。
【背景技術】
【０００２】
従来、被投射物に対して表示画像を投射して表示するプロジェクタ装置が知られている（例えば、特許文献１参照）。プロジェクタ装置は、一般的に、屋内において、白色のスクリーンに表示画像を投射して表示して利用される場合が多い。一方、近年、プロジェクタ装置を用いて、屋外の建物等に表示画像を投射して表示することが行われている。
【先行技術文献】
【特許文献】
【０００３】
【特許文献１】実開昭６３−１４１９４２号公報
【発明の概要】
【発明が解決しようとする課題】
【０００４】
屋外の建物に表示画像を投射して表示するプロジェクタ装置は、屋内において一般的に使用される白色のスクリーンではなく、建物自体をスクリーンとして使用している。建物の色が白色でない場合には、建物に照射されて表示される表示画像の色の見え方は、白色のスクリーンを使用した場合とは異なり、見にくい場合があった。
【０００５】
本発明の課題は、被投射物に投射して表示した表示画像を見やすいように表示画像の色を調整することができる投射型表示装置及び投射表示方法を提供することである。
【課題を解決するための手段】
【０００６】
本発明は、以下のような解決手段により前記課題を解決する。なお、理解を容易にするために、本発明の実施形態に対応する符号を付して説明するが、これに限定されない。
第１の発明は、被投射物（Ｔ）に対して表示画像を投射して表示する投射部（２）と、前記投射部（２）により被投射物（Ｔ）に投射する表示画像の色を調整する色調整部（３２１）と、前記色調整部（３２１）により調整された色の表示画像を被投射物（Ｔ）に投射するように前記投射部（２）を遠隔操作する遠隔操作部（３）と、を備える投射型表示装置（１）である。
第２の発明は、第１の発明の投射型表示装置（１）において、被投射物（Ｔ）の所定部分に焦点を合わせるように焦点を調整する焦点調整部（２４１）を備えること、を特徴とする投射型表示装置である。
第３の発明は、第１の発明又は第２の発明の投射型表示装置（１）において、被投射物（Ｔ）の色に関する情報である色値情報を測定する測色部（３１）を備え、前記色調整部（３２１）は、前記測色部（３１）により測定された被投射物（Ｔ）の色値情報に基づいて、被投射物（Ｔ）に投射する表示画像の色を調整すること、を特徴とする投射型表示装置である。
第４の発明は、第１の発明から第３の発明のいずれか１つの投射型表示装置（１）において、前記色調整部（３２１）は、前記投射部（２）又は前記遠隔操作部（３）に備えられること、を特徴とする投射型表示装置である。
第５の発明は、第１の発明から第４の発明のいずれか１つの投射型表示装置（１）において、前記遠隔操作部（３）と前記投射部（２）とは、有線又は無線で通信を行うこと、を特徴とする投射型表示装置である。
第６の発明は、非破壊検査装置により被投射物（Ｔ）の内部を検査する検査工程と、前記検査工程の検査結果に基づいて、投射部（２）により表示画像を被投射物（Ｔ）に投射して表示する投射工程と、前記投射工程により被投射物（Ｔ）に投射される表示画像の色を調整する色調整工程と、前記色調整工程により調製された色の表示画像を被投射物（Ｔ）に投射するように前記投射部（２）を遠隔操作する遠隔操作工程と、を備える投射表示方法である。
【発明の効果】
【０００７】
本発明によれば、被投射物に投射して表示した表示画像を見やすいように表示画像の色を調整することができる投射型表示装置及び投射表示方法を提供することができる。
【図面の簡単な説明】
【０００８】
【図１】実施形態のプロジェクタ装置を説明する図である。
【図２】実施形態のプロジェクタ本体の構成を説明する図である。
【図３】実施形態のリモコンの構成を説明する図である。
【図４】プロジェクタ本体及びリモコンの第１動作例の動作を説明するフローチャートである。
【発明を実施するための形態】
【０００９】
（実施形態）
以下、図面等を参照して、本発明の実施形態について説明する。
図１は、実施形態のプロジェクタ装置１を説明する図である。
図２は、実施形態のプロジェクタ本体２の構成を説明する図である。
図３は、実施形態のリモコン部３の構成を説明する図である。
【００１０】
図１に示すように、投射型表示装置としてのプロジェクタ装置１は、投射部としてのプロジェクタ本体２と、遠隔操作部としてのリモコン部３と、を備える。本実施形態のプロジェクタ装置１は、透過型の液晶方式のプロジェクタである。なお、本実施形態では一例として、プロジェクタ装置１を透過型の液晶方式のプロジェクタとして説明するが、これに限定されない。例えば、プロジェクタ装置１は、反射型の液晶方式のプロジェクタや、ＤＬＰ（登録商標）（Ｄｉｇｉｔａｌ  Ｌｉｇｈｔ  Ｐｒｏｃｅｓｓｉｎｇ）方式のプロジェクタなどであってもよい。
【００１１】
まず、プロジェクタ本体２について説明する。
プロジェクタ本体２は、リモコン部３からの遠隔操作により、被投射物としての建物Ｔに対して表示画像を投射して表示する。表示画像には、静止画像及び動画像が含まれる。プロジェクタ本体２は、リモコン部３との間で、無線による通信を行い、リモコン部３により遠隔操作で操作される。プロジェクタ本体２は、例えば、建物Ｔから、５０〜１５０メートル程度離れて配置されている。
【００１２】
プロジェクタ本体２は、図２に示すように、投射レンズ２０、液晶パネル２１、光分離部２２、発光素子２３、本体側信号処理部２４、レンズドライバ２５、パネルドライバ２６、光源ドライバ２７、受信部２８、外部コネクタ２９等を備えている。
【００１３】
発光素子２３は、光分離部２２に対して光を照射する。発光素子２３は、発光ダイオードや半導体レーザーダイオード等の発光体からなる。発光素子２３は、光源ドライバ２７から供給される光源電流により光量が調整される。発光素子２３が発光した光は、光分離部２２（後述）で分離されて、液晶パネル２１（後述）により合成され、投射レンズ２０を通り、投射光が出射されることで、建物Ｔ（図１参照）に表示画像を投射する。
【００１４】
投射レンズ２０は、液晶パネル２１を透過した光を拡大して、建物Ｔに照射する。投射レンズ２０は、レンズドライバ２５により駆動される。
【００１５】
本体側信号処理部２４は、焦点調整部２４１と、ズーム調整部２４２と、画像処理部２４３と、明るさ調整部２４４と、を有する。
焦点調整部２４１は、レンズドライバ２５により投射レンズ２０を駆動して、建物Ｔの所定部分に焦点を合わせるように、投射レンズ２０の焦点を調整する。焦点調整部２４１は、リモコン部３（図３で詳細に後述する）の操作部３３からの手動の入力に基づいて、建物Ｔの所定部分に焦点を合わせるように、投射レンズ２０の位置を移動させ、建物Ｔに投射されている表示画像の焦点を調整する。リモコン部３の操作部３３を操作することで焦点を合わせることができるため、建物Ｔに投射される表示画像を建物Ｔの近くで見ながら、リモコン部３でプロジェクタ本体２を遠隔操作することで焦点を合わせることができる。
【００１６】
建物Ｔの所定部分は、使用者により選択される。例えば、建物Ｔに凹凸がある場合において、凹部に焦点を合わせるか又は凸部に焦点を合わせるかを選択して、凹凸がある建物Ｔの所定部分に焦点を合わせることで、建物Ｔに表示される表示画像の全体が見やすくなるように調整する。これにより、建物Ｔに凹凸がある場合においても、建物Ｔに表示される表示画像の全体を見やすくすることができる。
【００１７】
なお、本実施形態においては、焦点調整部２４１における焦点の調整を、手動で調整する場合について説明したが、これに限定されず、自動で調整するようにしてもよい。
【００１８】
ズーム調整部２４２は、レンズドライバ２５により投射レンズ２０を駆動して、投射レンズ２０における拡大及び縮小を調整する。ズーム調整部２４２は、リモコン部３（後述）の操作部３３からの入力に基づいて投射レンズ２０の位置を移動させ、建物Ｔに投射されている画像のサイズを調整する。
【００１９】
明るさ調整部２４４は、リモコン部３の操作部３３からの入力に基づいて、発光素子２３から出射される光量を調整する。明るさ調整部２４４は、光源ドライバ２７において光源電流を調整するように駆動し、投射レンズ２０により照射される表示画像の明るさを調整する。
【００２０】
光分離部２２は、発光素子２３から照射された光を、Ｒ（赤）・Ｇ（緑）・Ｂ（青）の色に分離し、液晶パネル２１に出力する。光分離部２２としては、例えば、ダイクロイックミラーが用いられる。
【００２１】
液晶パネル２１は、パネルドライバ２６により駆動されることで、画像処理部２４３から出力される画像データに基づいて、発光素子２３から出射されて光分離部２２により分離された光を合成して透過させる。
【００２２】
画像処理部２４３は、外部コネクタ２９から入力された画像データ及び受信部２８において受信したリモコン部３から送信された表示画像データに対して、各種調整（例えば、コントラスト調整やガンマ補正等）を行う。画像処理部２４３により処理された表示画像データは、パネルドライバ２６に出力される。
【００２３】
受信部２８は、リモコン部３の送信部３５（後述）から送信されたデータを、無線で受信する。受信部２８によりリモコン部３から送信されたデータには、リモコン部３の操作部３３に入力された焦点調整データやズーム調整データや、色調整部３２１により調整された表示画像データなどがある。
【００２４】
外部コネクタ２９は、ＰＣ（パーソナルコンピューター）等の外部機器から画像情報を入力するための外部信号入力コネクタである。外部コネクタ２９には、ＰＣ（パーソナルコンピュータ）などが接続される。なお、外部コネクタ２９に代えて、メモリカードが装着されるメモリーカードスロットを備え、メモリカードに記憶された画像情報を外部から入力するようにしてもよい。
外部コネクタ２９から入力される画像情報は、建物Ｔに表示する表示画像の情報である。表示画像の情報としては、静止画の情報、動画の情報がある。
【００２５】
また、外部コネクタ２９から入力される表示画像の画像情報として、建物Ｔに表示画像を表示する場合において、建物Ｔを非破壊検査装置（不図示）を用いて、事前に、表面側からは目視できない内部の亀裂（建物本体の亀裂、配管の亀裂等）などを検査しておき、修理の際に、本発明に係るプロジェクタ装置１により、内部の亀裂を建物Ｔの表面に表示させることができる。これにより、建物Ｔの修理の際に、亀裂の場所を表示することで、建物Ｔの修理を容易に行うことができる。
【００２６】
次に、リモコン部３について説明する。
リモコン部３は、色調整部３２１（後述）により調整された色の表示画像を建物Ｔに投射するように、プロジェクタ本体２を遠隔操作する。リモコン部３は、建物Ｔから離れて配置されるプロジェクタ本体２に対して、建物Ｔの近くから、長距離の遠隔操作を行うことが可能である。リモコン部３は、プロジェクタ本体２との間で、無線による通信を行う。リモコン部３とプロジェクタ本体２との間では、例えば、Ｂｌｕｅｔｏｏｔｈ（登録商標）通信、Ｗｉ−Ｆｉ（無線ＬＡＮ）通信等によりデータ通信が行われる。なお、リモコン部３とプロジェクタ本体２との間の通信は、これに限定されず、公共の通信網を利用した携帯端末による通信（モバイル通信）や、トランシーバーによる通信などであってもよい。
【００２７】
リモコン部３は、図３に示すように、測色部３１、リモコン側信号処理部３２、操作部３３、表示部３４、送信部３５、記憶部３６等を備える。
【００２８】
操作部３３は、例えば、プロジェクタ本体２の電源をＯＮ／ＯＦＦするＯＮ／ＯＦＦボタンや、投射する表示画像を選択する画像選択ボタンや、投射されている表示画像の焦点を調整する焦点調整摘まみや、投射されている表示画像のサイズを調整するズーム摘まみや、投射されている表示画像の色を調整する色調整摘まみや、測色部３１における測色を開始する測色開始ボタンなどが挙げられる。操作部３３の各種ボタンは、回転式又はスライド式の摘まみや、押しボタンや、タッチパネル等により構成され、各種操作を実行するよう操作される。
表示部３４は、現在の各種調整値などを表示する。
【００２９】
送信部５５は、リモコン部３の操作部３３により操作された焦点調整の焦点調整信号やズーム調整のズーム調整信号や色調整部３２１で調整された表示画像データ信号などを、無線でプロジェクタ本体２に送信する。
【００３０】
測色部３１は、リモコン部３に設けられる。測色部３１は、建物Ｔの色に関する情報である色値情報を測定する。測色部３１は、建物Ｔの色を定量的に測定する。測色部３１は、例えば、参照光を建物Ｔに照射して、その反射光により、Ｒ（赤）・Ｇ（緑）・Ｂ（青）の各成分を測定する。測色の方法としては、例えば、分光光度計を使って物体の分光透過率や反射率を測定して計算により色の表示量を定める方法や、三色測色計を使用して適当な原色を混合して試料と同色にする混合量から色を定める方法などが用いられる。
【００３１】
リモコン側信号処理部３２は、記憶部３６に記憶された情報を参照して、操作部３３により入力された各種信号や、測色部３１で測色された色信号を処理する。記憶部３６には、プロジェクタ装置１へ送信するためのプロジェクタ装置１の各種設定値の情報などが記憶されている。
【００３２】
リモコン側信号処理部３２は、色調整部３２１を有する。
色調整部３２１は、プロジェクタ本体２により建物Ｔに投射する表示画像の色を調整する。具体的には、色調整部３２１は、表示画像の色の調整として、色を僅かに変化させる色の微調整、又は、微調整よりも色を大きく変化させる色の大幅調整を行う。
【００３３】
本実施形態においては、色調整部３２１により調整される色は、色の三属性を意味し、色の三属性は、明度、彩度、色相である。
明度は、色の明るさを表す度合をいう。明度は、人の眼に感じる光の強弱を示す量である。
彩度は、色の鮮やかさの度合いをいう。彩度は、それぞれの色について、白色・灰色・黒色の混ざっている度合であり、これらが混ざらないほど、その色は鮮やかになる。
色相は、赤、黄、緑、青、紫といった色の様相の相違であり、赤、黄、緑、青、紫で区別できる色である。
【００３４】
本実施形態においては、色調整部３２１により調整される色の大幅調整は、建物Ｔの色に基づいて、色を大幅に変化させて、建物Ｔに表示させる表示画像を見やすくする調整である。表示画像を見やすく調整することには、仮に建物Ｔの色が白色である場合に表示される表示画像の色に調整することや、夜間において目立つ色の表示画像に調整することも含まれる。
また、色調整部３２１により調整される色の微調整は、色の大幅調整の後に行われる調整であって、建物Ｔに表示された表示画面を最適化するように僅かにする調整である。
【００３５】
色調整部３２１は、測色部３１により測定された建物Ｔの色値情報に基づいて、仮に建物Ｔの色が白色である場合に表示される表示画像の色となるように、測色部３１により測定された建物Ｔの色に基づいて、建物Ｔに投射する表示画像の色を調整するように変換する。例えば、建物Ｔの色が、赤である場合や茶である場合や灰色である場合がある。このような場合に、色調整部３２１は、建物Ｔの色が白色であったとしたら表示される表示画像の色となるように、建物Ｔに投射する色を変換する。
【００３６】
詳述すると、色調整部３２１は、色の大幅調整において、明度、彩度、色相について、例えば、次のように調整する。以下の色調整部３２１による色の調整は、測色部３１により測定された建物Ｔの色値情報に基づいて、自動で調整されるようにしてもよいし、測色部３１により測定された建物Ｔの色値情報に基づいて、建物Ｔに表示された表示画像の色を見ながら手動で調整するようにしてもよい。
【００３７】
色調整部３２１は、測色部３１により測定された建物Ｔの色について、例えば、Ｒ（赤）が強い場合には、Ｒ（赤）の度合を下げて、Ｇ（緑）及びＢ（青）の度合を上げるように、明度を調整する。
また、色調整部３２１は、例えば、色を鮮やかに見せたい場合には、色を鮮やかに見せるように、彩度を調整する。
また、色調整部３２１は、例えば、元々の色とは異なる色に変更したい場合には、色相を変更するように調整する。例えば、色調整部３２１は、色相の調整において、黄色を青色に変更するように調整する。
【００３８】
（第１動作例）
次に、プロジェクタ装置１の第１動作例の動作について、図４を参照しながら説明する。
図４は、プロジェクタ本体２及びリモコン部３の第１動作例の動作を説明するフローチャートである。
第１動作例では、プロジェクタ装置１における色調整を行う動作について説明する。
【００３９】
図４に示すように、ステップＳ１１１において、使用者が、リモコン部３の測色部３１を建物Ｔに向けて、操作部３３の測色開始ボタン（不図示）を押すことで、測色部３１は、建物Ｔの色を測定する。測色部３１により測色された測色データは、リモコン側信号処理部３２の色調整部３２１に送信される。
【００４０】
ステップＳ１１２において、使用者が、建物Ｔに表示する表示画像の色を調整するように、リモコン部３の操作部３３を操作する。これにより、色調整部３２１は、測色部３１により測色された測色値に基づいて、建物Ｔに表示する表示画像の色を調整する。ここで実行される色調整部３２１により調整される色の調整は、建物Ｔの色に基づいて行われるため、色の大幅調整である。例えば、測色部３１により測色された色についてＲ（赤）が強い場合には、Ｒ（赤）の度合を下げて、Ｇ（緑）及びＢ（青）の度合を上げるように、明度を調整する。なお、色調整部３２１による色の調整は、測色部３１により測定された建物Ｔの色値情報に基づいて、自動で調整されるようにしてもよいし、測色部３１により測定された建物Ｔの色値情報に基づいて、建物Ｔに表示された表示画像の色を見ながら手動で調整するようにしてもよい。
【００４１】
ステップＳ１１３において、リモコン部３のリモコン側信号処理部３２は、色（明度）が調整された表示画像データ信号を、送信部３５を介して、プロジェクタ本体２の受信部２８に送信する。
【００４２】
ステップＳ１２１において、プロジェクタ本体２は、受信部２８において、色（明度）が調整された表示画像データ信号を受信する。受信部２８により受信された表示画像データ信号は、本体側信号処理部２４の画像処理部２４３において処理される画像において処理が加えられ、パネルドライバ２６を介して、液晶パネル２１に出力される。
【００４３】
ステップＳ１２２において、発光素子２３を発光することで、色（明度）が調整された表示画像を、建物Ｔに投射して表示する。なお、ここで、使用者は、建物Ｔに表示された色を見て、建物Ｔに表示された表示画面を最適化するように、表示画像の色の微調整を行うこともできる。
【００４４】
ステップＳ１１４において、使用者が、建物Ｔに表示された画像を見ながら、リモコン部３の操作部３３により、焦点調整やズーム調整を行う。本実施形態においては、使用者は、手動で、焦点調整やズーム調整を行う。
【００４５】
ステップＳ１１５において、操作部３３からの操作信号（焦点調整信号、ズーム調整信号）がリモコン側信号処理部３２に入力されて、リモコン部３のリモコン側信号処理部３２は、入力された操作信号（焦点調整信号、ズーム調整信号）を、送信部３５を介して、プロジェクタ本体２の受信部２８に送信する。
【００４６】
ステップＳ１２３において、プロジェクタ本体２は、受信部２８において、操作信号（焦点調整信号、ズーム調整信号）を受信する。受信部２８により受信された焦点調整信号は、本体側信号処理部２４の焦点調整部２４１により焦点を調整するように、また、受信部２８により受信されたズーム調整信号は、表示画像のサイズを調整するように、操作信号をレンズドライバ２５に出力して、投射レンズ２０を移動させる。
【００４７】
ステップＳ１２４において、発光素子２３を発光することで、焦点調整及びズーム調整が行われた表示画像を、建物Ｔに投射して表示する。その後、処理は終了する。
【００４８】
（第２動作例）
次に、プロジェクタ装置１の第２動作例の動作について説明する。
第２動作例では、非破壊検査装置（不図示）により検査された建物Ｔの内部を、建物Ｔに表示画像として表示する投射表示方法について説明する。
【００４９】
プロジェクタ装置１を用いて、非破壊検査装置（不図示）により検査された建物Ｔの内部の亀裂等を、建物Ｔに表示画像として表示する投射表示方法として、非破壊検査装置により建物Ｔの内部を検査する検査工程と、検査工程の検査結果に基づいて、プロジェクタ本体２により表示画像を建物Ｔに投射して表示する投射工程と、投射工程により建物Ｔに投射される表示画像の色を調整する色調整工程と、色調整工程により調製された色の表示画像を建物Ｔに投射するようにプロジェクタ本体２をリモコン部３により遠隔操作する遠隔操作工程と、が実行される。
【００５０】
これにより、建物Ｔの内部において、亀裂等の損傷が生じている場合、建物Ｔの表面に表示画像を表示することができる。よって、事前に、表面側からは目視できない内部の亀裂などを非破壊検査装置により検査しておき、修理の際に、内部の亀裂を建物Ｔの表面に表示させることができる。従って、建物Ｔの修理の際に、建物Ｔの内部の亀裂の場所を建物Ｔの表面に表示画像により表示することで、建物Ｔの修理を容易に行うことができる。
【００５１】
以上説明した本実施形態のプロジェクタ装置１は、以下の効果を奏する。
（１）プロジェクタ装置１は、建物Ｔに対して表示画像を投射して表示するプロジェクタ本体２と、プロジェクタ本体２により建物Ｔに投射する表示画像の色を調整する色調整部３２１と、色調整部３２１により調整された色の表示画像を建物Ｔに投射するように投射部２を遠隔操作するリモコン部３と、を備えている。
そのため、プロジェクタ本体２により建物Ｔに投射する表示画像の色を調整できる。これにより、建物に表示する表示画像を見やすくすることができる。例えば、建物Ｔに色が付いている場合において、建物Ｔの色に応じて表示画像の色を調整することで、建物Ｔに表示された表示画像を見やすくすることができる。
また、建物Ｔの色を近くで見ながら、遠くに位置するプロジェクタ本体２を、建物Ｔの近くからリモコン部３により遠隔操作できる。これにより、建物Ｔの近くから、建物Ｔの色に応じて表示画像の色を調整することで、建物Ｔに表示された表示画像を一層見やすくすることができる。
【００５２】
（２）プロジェクタ装置１は、建物Ｔの所定部分に焦点を合わせるように焦点を調整する焦点調整部２４１を備える。これにより、例えば、建物Ｔに凹凸があっても、建物Ｔの所定部分に焦点を合わせるように焦点を調整して、建物Ｔに表示する表示画像を、建物Ｔに表示した表示画像を見やすく表示することができる。また、特に建物Ｔの凹凸が大きい場合には、建物Ｔの所定部分に手動で焦点を合わせることで、自動で焦点を調整する場合よりも、建物Ｔの全体を見やすく焦点の調整を行うことができる。
【００５３】
（３）プロジェクタ装置１は、建物Ｔの色に関する情報である色値情報を測定する測色部３１を備え、色調整部３２１は、測色部３１により測定された建物Ｔの色値情報に基づいて、建物Ｔに投射する表示画像の色を調整する。これにより、建物Ｔの色を測色することで、測色部３１により測定された建物Ｔの色値情報に基づいて表示画像の色を調整できるため、建物Ｔに表示する表示画像を、建物Ｔに一層見やすく表示することができる。
【００５４】
（４）プロジェクタ装置１において、リモコン部３とプロジェクタ本体２とは、無線で通信を行う。そのため、リモコン部３とプロジェクタ本体２とを有線で接続しなくても、無線で、リモコン部３により遠隔操作できる。これにより、無線で操作できるため、取り扱いが容易である。
【００５５】
（５）投射表示方法は、非破壊検査装置により建物Ｔの内部を検査する検査工程と、検査工程の検査結果に基づいて、プロジェクタ本体２により表示画像を建物Ｔに投射して表示する投射工程と、投射工程により建物Ｔに投射される表示画像の色を調整する色調整工程と、色調整工程により調製された色の表示画像を建物Ｔに投射するようにプロジェクタ本体２を遠隔操作する遠隔操作工程と、を備える投射表示方法である。よって、事前に、表面側からは目視できない内部の亀裂などを非破壊検査装置により検査しておき、修理の際に、内部の亀裂を建物Ｔの表面に表示させることができる。従って、建物Ｔの修理の際に、建物Ｔの内部の亀裂の場所を建物Ｔの表面に表示画像により表示することで、建物Ｔの修理を容易に行うことができる。
【００５６】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５７】
（変形形態）
（１）上述の実施形態において、リモコン部３とプロジェクタ本体２とは、無線で通信を行うように構成したが、これに限定されず、有線で通信を行うようにしてもよい。
【００５８】
（２）上述の実施形態において、色調整部３２１をリモコン部３に設けたが、これに限定されない。色調整部３２１をプロジェクタ本体２に設けてもよい。色調整部３２１をプロジェクタ本体２に設ける場合には、測色部３１により測定された色値情報は、プロジェクタ本体２に送信されて、色調整部３２１は、プロジェクタ本体２側において、測色部３１により測定された色値情報に基づいて、建物Ｔに投射する表示画像の色を調整する。
【００５９】
（３）上述の実施形態において、焦点調整部２４１やズーム調整部２４２をプロジェクタ本体２に設けたが、これに限定されない。焦点調整部２４１やズーム調整部２４２をリモコン部３に設けてもよい。
【符号の説明】
【００６０】
１  プロジェクタ装置（投射型表示装置）
２  プロジェクタ本体（投射部）
３  リモコン部（遠隔操作部）
３１  測色部
１０  第１ガラス基板
２４１  焦点調整部
３２１  色調整部
Ｔ  建物（被投射物）
【図１】
2017191223.tif 000003
【図２】
2017191223.tif 000004
【図３】
2017191223.tif 000005
【図４】
2017191223.tif 000006